(57)【要約】      （修正有）【課題】携帯端末から画像形成装置で画像処理した画像データをストレージサービスに記憶させる場合のユーザの操作性を向上させる。【解決手段】携帯端末は、ストレージサービスが画像データを記憶できなかった場合に、画像データを記憶できなかったことを示す情報を画像形成装置から受信し（Ｓ１０８）、他のストレージサービスをユーザに選択させて（Ｓ１１０）、選択されたストレージサービスを示す情報を含む情報を画像形成装置に送信する（Ｓ１０５）。【選択図】図９
2015100064.tif 000002
【特許請求の範囲】
【請求項１】
画像形成装置との通信を近距離無線通信で行う携帯端末であって、
前記画像形成装置に画像処理を実行させることで得られた画像データをストレージサービスに記憶させるために、前記画像処理に関する設定情報及び前記ストレージサービスを示す情報を含む第１情報を前記画像形成装置に送信する第１情報送信手段と、
前記ストレージサービスが前記画像データを記憶できなかった場合に、前記画像データを記憶できなかったことを示す第２情報を前記画像形成装置から受信する受信手段と、
前記受信手段により前記第２情報を受信した場合に、他のストレージサービスをユーザに選択させる選択手段と、
前記選択手段により選択されたストレージサービスを示す情報を含む第３情報を前記画像形成装置に送信する第３情報送信手段と
を有することを特徴とする携帯端末。
【請求項２】
前記設定情報は、画像処理の処理内容、色、解像度、濃度、レイアウト、及びファイルフォーマットに関する設定内容を含み、前記ストレージサービスを示す情報は、前記ストレージサービスへ前記画像データを送信するためのプロトコル、前記ストレージサービスのＩＰアドレス、及び前記ストレージサービスにログインするためのログイン情報を含むことを特徴とする請求項１記載の携帯端末。
【請求項３】
携帯端末との通信を近距離無線通信で行う画像形成装置であって、
画像処理を実行することで得られた画像データをストレージサービスに記憶させるために、前記画像処理に関する設定情報及び前記ストレージサービスを示す情報を含む第１情報を前記携帯端末から受信する第１情報受信手段と、
前記第１情報受信手段により受信された第１情報に含まれる前記設定情報に従って画像処理を実行して得られた画像データを、前記ストレージサービスを示す情報に従って前記ストレージサービスに送信する画像データ送信手段と、
前記ストレージサービスが前記画像データを記憶できなかった場合に、前記画像データを記憶できなかったことを示す第２情報を前記携帯端末に送信する第２情報送信手段と、
前記画像データを記憶できなかった前記ストレージサービスとは異なるストレージサービスを示す情報を含む第３情報を前記携帯端末から受信する第３情報受信手段と、
前記第３情報受信手段により受信した前記第３情報に含まれる前記ストレージサービスを示す情報に従って、前記ストレージサービスに前記画像処理を実行して得られた前記画像データを送信する画像データ再送信手段と
を有することを特徴とする画像形成装置。
【請求項４】
前記設定情報は、画像処理の処理内容、色、解像度、濃度、レイアウト、及びファイルフォーマットに関する設定内容を含み、前記ストレージサービスを示す情報は、前記ストレージサービスへ前記画像データを送信するためのプロトコル、前記ストレージサービスのＩＰアドレス、及び前記ストレージサービスにログインするためのログイン情報を含むことを特徴とする請求項３記載の画像形成装置。
【請求項５】
近距離無線通信で通信を行う携帯端末と画像形成装置とを含む画像形成システムであって、
前記携帯端末は、
前記画像形成装置に画像処理を実行させることで得られた画像データをストレージサービスに記憶させるために、前記画像処理に関する設定情報及び前記ストレージサービスを示す情報を含む第１情報を前記画像形成装置に送信する第１情報送信手段と、
前記ストレージサービスが前記画像データを記憶できなかった場合に、前記画像データを記憶できなかったことを示す第２情報を前記画像形成装置から受信する受信手段と、
前記受信手段により前記第２情報を受信した場合に、他のストレージサービスをユーザに選択させる選択手段と、
前記選択手段により選択されたストレージサービスを示す情報を含む第３情報を前記画像形成装置に送信する第３情報送信手段と
を有し、
前記画像形成装置は、
前記第１情報を前記携帯端末から受信する第１情報受信手段と、
前記第１情報受信手段により受信された第１情報に含まれる前記設定情報に従って画像処理を実行して得られた画像データを、前記ストレージサービスを示す情報に従って前記ストレージサービスに送信する画像データ送信手段と、
前記ストレージサービスが前記画像データを記憶できなかった場合に、前記第２情報を前記携帯端末に送信する第２情報送信手段と、
前記第３情報を前記携帯端末から受信する第３情報受信手段と、
前記第３情報受信手段により受信した前記第３情報に含まれる前記ストレージサービスを示す情報に従って、前記ストレージサービスに前記画像処理を実行して得られた前記画像データを送信する画像データ再送信手段と
を有することを特徴とする画像形成システム。
【請求項６】
画像形成装置との通信を近距離無線通信で行う携帯端末の制御方法であって、
前記画像形成装置に画像処理を実行させることで得られた画像データをストレージサービスに記憶させるために、前記画像処理に関する設定情報及び前記ストレージサービスを示す情報を含む第１情報を前記画像形成装置に送信する第１情報送信ステップと、
前記ストレージサービスが前記画像データを記憶できなかった場合に、前記画像データを記憶できなかったことを示す第２情報を前記画像形成装置から受信する受信ステップと、
前記受信ステップにより前記第２情報を受信した場合に、他のストレージサービスをユーザに選択させる選択ステップと、
前記選択ステップにより選択されたストレージサービスを示す情報を含む第３情報を前記画像形成装置に送信する第３情報送信ステップと
を有することを特徴とする制御方法。
【請求項７】
携帯端末との通信を近距離無線通信で行う画像形成装置の制御方法であって、
画像処理を実行することで得られた画像データをストレージサービスに記憶させるために、前記画像処理に関する設定情報及び前記ストレージサービスを示す情報を含む第１情報を前記携帯端末から受信する第１情報受信ステップと、
前記第１情報受信ステップにより受信された第１情報に含まれる前記設定情報に従って画像処理を実行して得られた画像データを、前記ストレージサービスを示す情報に従って前記ストレージサービスに送信する画像データ送信ステップと、
前記ストレージサービスが前記画像データを記憶できなかった場合に、前記画像データを記憶できなかったことを示す第２情報を前記携帯端末に送信する第２情報送信ステップと、
前記画像データを記憶できなかった前記ストレージサービスとは異なるストレージサービスを示す情報を含む第３情報を前記携帯端末から受信する第３情報受信ステップと、
前記第３情報受信ステップにより受信した前記第３情報に含まれる前記ストレージサービスを示す情報に従って、前記ストレージサービスに前記画像処理を実行して得られた前記画像データを送信する画像データ再送信ステップと
を有することを特徴とする制御方法。
【請求項８】
画像形成装置との通信を近距離無線通信で行う携帯端末の制御方法をコンピュータに実行させるためのプログラムであって、
前記制御方法は、
前記画像形成装置に画像処理を実行させることで得られた画像データをストレージサービスに記憶させるために、前記画像処理に関する設定情報及び前記ストレージサービスを示す情報を含む第１情報を前記画像形成装置に送信する第１情報送信ステップと、
前記ストレージサービスが前記画像データを記憶できなかった場合に、前記画像データを記憶できなかったことを示す第２情報を前記画像形成装置から受信する受信ステップと、
前記受信ステップにより前記第２情報を受信した場合に、他のストレージサービスをユーザに選択させる選択ステップと、
前記選択ステップにより選択されたストレージサービスを示す情報を含む第３情報を前記画像形成装置に送信する第３情報送信ステップと
を有することを特徴とするプログラム。
【請求項９】
携帯端末との通信を近距離無線通信で行う画像形成装置の制御方法をコンピュータに実行させるためのプログラムであって、
前記制御方法は、
画像処理を実行することで得られた画像データをストレージサービスに記憶させるために、前記画像処理に関する設定情報及び前記ストレージサービスを示す情報を含む第１情報を前記携帯端末から受信する第１情報受信ステップと、
前記第１情報受信ステップにより受信された第１情報に含まれる前記設定情報に従って画像処理を実行して得られた画像データを、前記ストレージサービスを示す情報に従って前記ストレージサービスに送信する画像データ送信ステップと、
前記ストレージサービスが前記画像データを記憶できなかった場合に、前記画像データを記憶できなかったことを示す第２情報を前記携帯端末に送信する第２情報送信ステップと、
前記画像データを記憶できなかった前記ストレージサービスとは異なるストレージサービスを示す情報を含む第３情報を前記携帯端末から受信する第３情報受信ステップと、
前記第３情報受信ステップにより受信した前記第３情報に含まれる前記ストレージサービスを示す情報に従って、前記ストレージサービスに前記画像処理を実行して得られた前記画像データを送信する画像データ再送信ステップと
を有することを特徴とするプログラム。
【発明の詳細な説明】
【技術分野】
【０００１】
本発明は、画像形成システム、携帯端末、画像形成装置及びその制御方法、並びにプログラムに関する。
【背景技術】
【０００２】
近年、近距離無線通信手段の１つであるＮＦＣ（Near Field Communication）がスマートフォンやタブレットＰＣといった携帯端末へと急加速で普及している。
【０００３】
ＮＦＣには、リーダー／ライター機能があり、この機能はＮＦＣカードやＮＦＣタグに対するデータのリード及びライトを実施することができるというものである。
【０００４】
さらにＮＦＣには、ピア・ツー・ピア機能があり、ＮＦＣを介して様々なデータの送受信が可能となっている。
【０００５】
ユーザーが各々のＮＦＣ搭載の携帯端末を接触させる所作（以下、「タッチ」という）の直感的な操作により２つのＮＦＣ搭載機器間でデータの送受信を実行することが可能となっている。
【０００６】
このＮＦＣに限らず、携帯端末はＷｉＦｉ、Ｂｌｕｅｔｏｏｔｈ(登録商標)など様々な近距離無線通信手段を備えている。そのため、電子機器間でそれぞれの機能を生かして新たな価値を見出す機器連携が盛んになっている。
【０００７】
こうした通信機能を生かしたものとして、携帯端末が持つ画面の表示情報を、近距離無線通信を用いて画像形成装置に送信し、画像形成装置がその表示情報に対応付けられた操作を実行するという機器連携技術が知られている（例えば、特許文献１参照）。
【０００８】
この機器連携技術として、携帯端末から画像形成装置に紙原稿のスキャンを行なわせ、そのスキャンすることで得られたデータをネットワーク上のストレージサービスに記憶する技術も一例として挙げられる。
【０００９】
また、画像形成装置からストレージサービスへのデータの送信が失敗した場合、ユーザーに通知したり次の送信先を選ばせたりする際に画像形成装置の操作部上で操作する技術も知られている。
【先行技術文献】
【特許文献】
【００１０】
【特許文献１】特開２０１０−１９９６４２号公報
【発明の概要】
【発明が解決しようとする課題】
【００１１】
しかしながら、スキャンすることで得られたデータの記憶先であるストレージサービスが何らかの要因でデータを記憶できない場合がある。
【００１２】
この場合、ユーザーは別のストレージサービス向けの設定を画像形成装置の操作部から再度行なわなければならず、画像形成装置の操作部のキーやタッチパネルを操作して入力する必要があった。
【００１３】
本発明の目的は、携帯端末から画像形成装置で画像処理した画像データをストレージサービスに記憶させる場合のユーザの操作性を向上させた画像形成システム、携帯端末、画像形成装置及びその制御方法、並びにプログラムを提供することにある。
【課題を解決するための手段】
【００１４】
上記目的を達成するために、請求項１の携帯端末は、画像形成装置との通信を近距離無線通信で行う携帯端末であって、前記画像形成装置に画像処理を実行させることで得られた画像データをストレージサービスに記憶させるために、前記画像処理に関する設定情報及び前記ストレージサービスを示す情報を含む第１情報を前記画像形成装置に送信する第１情報送信手段と、前記ストレージサービスが前記画像データを記憶できなかった場合に、前記画像データを記憶できなかったことを示す第２情報を前記画像形成装置から受信する受信手段と、前記受信手段により前記第２情報を受信した場合に、他のストレージサービスをユーザに選択させる選択手段と、前記選択手段により選択されたストレージサービスを示す情報を含む第３情報を前記画像形成装置に送信する第３情報送信手段とを有することを特徴とする。
【発明の効果】
【００１５】
本発明によれば、ストレージサービスが画像データを記憶できなかった場合に、画像データを記憶できなかったことを示す第２情報を画像形成装置から受信し、他のストレージサービスをユーザに選択させて、選択されたストレージサービスを示す情報を含む第３情報を画像形成装置に送信するので、従来のように画像形成装置での操作が不要となり、その結果、携帯端末から画像形成装置で画像処理した画像データをストレージサービスに記憶させる場合のユーザの操作性を向上させることができる。
【図面の簡単な説明】
【００１６】
【図１】本発明の実施の形態に係る画像形成システムの概略構成を示す図である。
【図２】図１における携帯端末のコントローラ及びＵＩ部の概略構成を示す図である。
【図３】図１における画像形成装置のコントローラの概略構成を示す図である。
【図４】図３におけるＲＡＭに記憶されるジョブ管理情報を示す図である。
【図５】図１における携帯端末のＵＩ部に表示される画像形成装置連携アプリの各画面を示す図である。
【図６】図１における画像形成装置のＵＩ部に表示される記憶不可画面を示す図である。
【図７】ＮＦＣを利用して非接触無線通信により通信を確立する手順を示すシーケンス図である。
【図８】携帯端末の非接触無線通信部と画像形成装置の非接触無線通信部を接触させたときに通信される情報を示す図である。
【図９】図２における携帯端末のＣＰＵにより実行される携帯端末処理の手順を示すフローチャートである。
【図１０】図３における画像形成装置のＣＰＵにより実行される画像形成装置処理、及び図１のストレージサービスにより実行されるストレージサービス処理の手順を示すフローチャートである。
【発明を実施するための形態】
【００１７】
以下、本発明の実施の形態について図面を参照しながら詳述する。
【００１８】
図１は、本発明の実施の形態に係る画像形成システム１０００の概略構成を示す図である。
【００１９】
図１において、画像形成システム１０００は、携帯端末１０、画像形成装置２０、及びストレージサービス３０で構成される。
【００２０】
携帯端末１０は、スマートフォンなどの携帯電話、タブレット型パソコン、ノート型パソコン、ＰＤＡなどである。画像形成装置２０は、印刷機能、及びスキャナ機能を備えている。また、画像形成装置２０は、ストレージサービス３０とネットワークで接続されており、画像形成装置２０はストレージサービス３０に各種データを記憶できる。
【００２１】
そして、携帯端末１０と画像形成装置２０は、近距離無線通信、及び非接触無線通信で通信を行うことが可能となっている。
【００２２】
携帯端末１０は、コントローラ１００、近距離無線通信部１１、非接触無線通信部１２、及びＵＩ部１３で構成される。
【００２３】
コントローラ１００は、近距離無線通信部１１、非接触無線通信部１２、及びＵＩ部１３を制御する。近距離無線通信部１１は、近距離無線通信に関する処理を行う。非接触無線通信部１２は、非接触無線通信に関する処理を行う。ＵＩ部１３は、表示部や操作部を備えたユーザインタフェースである。
【００２４】
画像形成装置２０は、コントローラ２００、近距離無線通信部２１、非接触無線通信分２２、スキャナ部２３、プリンタ部２４、及びＵＩ部２５で構成される。
【００２５】
コントローラ２００は、近距離無線通信部２１、非接触無線通信分２２、スキャナ部２３、プリンタ部２４、及びＵＩ部２５を制御する。
【００２６】
近距離無線通信部２１は、近距離無線通信に関する処理を行う。非接触無線通信部２２は、非接触無線通信に関する処理を行う。スキャナ部２３は、原稿を読み取り、原稿を示す画像データをコントローラ２３に出力する。プリンタ部２４は、コントローラ２００から指示された画像データを紙などの記録媒体に印刷する。ＵＩ部２５は、表示部や操作部を備えたユーザインタフェースである。
【００２７】
ストレージサービス３０は、オンラインストレージやファイルホスティングなどと呼ばれ、ファイルサーバマシンのディスクスペースをユーザーに貸し出すサービスである。ユーザーは自由にディスクスペースを使用することができインターネット経由で読み書きすることができる。
【００２８】
図２は、図１における携帯端末１０のコントローラ１００及びＵＩ部１３の概略構成を示す図である。
【００２９】
図２において、コントローラ１００は、ＣＰＵ１０１、ＲＡＭ１０２、ＲＯＭ１０３、記憶装置１０４、通信部１１３、表示コントローラ１０５、操作部コントローラ１０７、近距離無線コントローラ１１０、通信部１１２、及び非接触無線通信コントローラ１１４で構成され、それぞれシステムバス１１６で接続されている。
【００３０】
また、ＵＩ部１３は、表示部１０６、タッチパネル１０８、及びキー１０９で構成される。
【００３１】
コントローラ１００のＣＰＵ１０１は、コントローラ１００を構成する各部を制御することで、携帯端末１０全体を制御する。ＲＡＭ１０２には、各種データやＣＰＵ１０１が実行するプログラムなどが記憶される。
【００３２】
ＲＯＭ１０３には、ブートプログラムなどの各種プログラムなどが記憶される。後述するフローチャートに示される処理は、ＲＯＭ１０３に記憶されたプログラムがＲＡＭ１０２に展開され、ＣＰＵ１０１により実行される。
【００３３】
記憶装置１０４は、ＨＤＤやＳＳＤなどの不揮発性記憶装置であり、各種データや各種プログラムなどが記憶される。
【００３４】
通話部１１３は、不図示のマイクやスピーカと接続され、公衆回線に接続し、電話として動作するための制御を行う。表示コントローラ１０４は、ＣＰＵ１０１の指示に従い、各種情報を表示する表示部１０６に画像を表示させる。操作部コントローラ１０７は、タッチパネル１０８、及びキー１０９でユーザにより入力された内容をＣＰＵ１０１に伝える。
【００３５】
近距離無線コントローラ１１０は、Ｗｉ−ＦｉやＢｌｕｅｔｏｏｔｈ(登録商標)などの近距離通信を近距離無通信部１１を介して画像形成装置２０などの外部装置と行うための制御を行う。
【００３６】
通信部１７２は、近距離無線通信部１１や非接触部線通信部１２とはことなるＵＳＢなどで通信を行うものである。例えば、外付けの入力インターフェース機器をこれらの近距離無線コントローラ１１０や通信部１１２に接続させて、ＵＩ部１３の入出力機能を補うようにしてもよい。
【００３７】
非接触無線通信コントローラ１１４は、ＮＦＣのリーダー／ライターやタグなどのタッチをすることで通信を実行する規格のインターフェースであり、非接触無線通信部１２を介し、近距離無線通信部１１が通信する距離より短い距離での通信を行うための制御を行う。
【００３８】
本実施の形態において、非接触無線通信コントローラ１１４は、画像形成装置２０にログインするためのユーザーの認証データやＩＰアドレス等、後述する設定情報などの通信を行うために用いられる。
【００３９】
図３は、図１における画像形成装置２０のコントローラ２００の概略構成を示す図である。
【００４０】
図３において、コントローラ２００は、ＣＰＵ２０１、ＲＡＭ２０２、ＲＯＭ２０３、記憶装置２０４、画像処理部２０５、エンジンインタフェース２０６、スキャナインタフェース２０７、近距離無線コントローラ２０９、操作部コントローラ２１０、非接触無線通信コントローラ２１１、ＵＳＢインタフェース２１２、ネットワークインタフェース２１３、及びＦＡＸインタフェース２１４で構成され、それぞれシステムバス２１５で接続されている。
【００４１】
コントローラ２００のＣＰＵ２０１は、コントローラ２００を構成する各部を制御することで、画像形成装置２０全体を制御する。ＲＡＭ２０２には、各種データやＣＰＵ２０１が実行するプログラムなどが記憶される。
【００４２】
ＲＯＭ２０３には、ブートプログラムなどの各種プログラムなどが記憶される。後述するフローチャートに示される処理は、ＲＯＭ２０３に記憶されたプログラムがＲＡＭ２０２に展開され、ＣＰＵ２０１により実行される。
【００４３】
記憶装置２０４は、ＨＤＤやＳＳＤなどの不揮発性記憶装置であり、各種データや各種プログラムなどが記憶される。
【００４４】
画像処理部２０５は、ＲＡＭ２０２に記憶された画像データに対して各種画像処理を行う。
【００４５】
エンジンインタフェース２０６は、プリンタ部２３とコントローラ２００とのインタフェースである。スキャナインタフェース２０７は、スキャナ部２４とコントローラ２００とのインタフェースである。
【００４６】
近距離無線コントローラ２１０は、Ｗｉ−ＦｉやＢｌｕｅｔｏｏｔｈ(登録商標)などの近距離通信を近距離無通信部２１を介して携帯端末１０などの外部装置と行うための制御を行う。
【００４７】
操作部コントローラ２１０は、表示部と操作部とを備えたＵＩ部２５でユーザにより入力された内容をＣＰＵ１０１に伝えたり、表示部に各種情報を表示する。
【００４８】
非接触無線通信コントローラ２１１は、ＮＦＣのリーダー／ライターやタグなどのタッチをすることで通信を実行する規格のインターフェースであり、非接触無線通信部１２を介し、近距離無線通信部２０８が通信する距離より短い距離での通信を行うための制御を行う。
【００４９】
ＵＳＢインタフェース２１３は、外付けのＵＳＢ機器と接続するためのインタフェースである。ネットワークインタフェース２１３は、ＬＡＮ２６とのインタフェースであり、このインタフェースによりストレージサービス３０と通信可能となっている。
【００５０】
ＦＡＸインタフェース２１４は、公衆回線網と２７とのインタフェースであり、ファックスの送受信で用いられる。
【００５１】
プリンタ部２３は、紙を給紙し、給紙した紙などの記録媒体にコントローラ２００から受信した画像データが示す画像を印刷し、印刷された記録媒体を排紙する。
【００５２】
スキャナ部２４には、コントローラ１００からデータを受信したスキャナ部２４は、原稿画像を光学的に読み取り、画像データに変換してコントローラ１００に送信する。
【００５３】
また、スキャナ部２４には、原稿検知を行う原稿検知センサ２０８が接続されている。原稿検知センサ２０８は、原稿台スキャナ部とＡＤＦ部（Ａｕｔｏ Ｄｏｃｕｍｅｎｔｏ Ｆｅｅｄｅｒ部）にそれぞれ備わっている。
【００５４】
原稿検知センサ２０８は、原稿台スキャナ部において、原稿台ガラスに原稿が置かれた場合に、原稿が置かれたことを検知して、スキャナ部２４へ通知する。一方、原稿検知センサ２０８は、ＡＤＦ部において、フィーダーに原稿が置かれた場合に、原稿が置かれたことを検知してスキャナ部２４へ通知する。
【００５５】
図４は、図３におけるＲＡＭ２０２に記憶されるジョブ管理情報を示す図である。
【００５６】
図４において、ジョブ管理情報は、ジョブＩＤ、記憶先ＩＤ、携帯端末種別、アプリ種別、及びジョブ設定情報で構成される。
【００５７】
ジョブＩＤは、ジョブを識別するためのＩＤである。記憶先ＩＤは、ストレージサービスを識別するためのＩＤである。携帯端末種別は、画像形成装置２０にタッチする携帯端末の種別を示す。アプリ種別は、携帯端末で動作するアプリケーションを示す。ジョブ設定情報の詳細については、図８を用いて説明するが、ジョブの設定に関する情報を含む情報である。
【００５８】
図５は、図１における携帯端末１０のＵＩ部１３に表示される画像形成装置連携アプリの各画面を示す図である。
【００５９】
図５（Ａ）は、連携する画像形成装置と画像形成装置で使用する機能を選択する画面を示す図である。
【００６０】
図５（Ａ）において、ユーザは「Ｃｏｐｙ」、「Ｓｃａｎ  ｔｏ」、及び「ＦＡＸ」のうちのいずれかの機能が選択可能である。ここでは、「Ｓｃａｎ  ｔｏ」が選択されたものとする。なお、本実施の形態では、「Ｃｏｐｙ」はコピー処理を示し、「Ｓｃａｎ  ｔｏ」は、スキャンすることで得られた画像データをストレージサービスに記憶するスキャン処理を示し、「ＦＡＸ」はファックス処理を示す。
【００６１】
次いで、ユーザが「ＭＦＰ」を選択すると、同図に示されるように、選択可能な画像形成装置の一覧が表示される。ここでは、「０００−Ｍｏｄｅｌ」が選択されている。画像形成装置が選択されると、「Ｓｃａｎ  ｔｏ」機能の設定画面が表示される。
【００６２】
図５（Ｂ）は、「Ｓｃａｎ  ｔｏ」機能の設定画面を示す図である。
【００６３】
図５（Ｂ）の設定画面は、「送信形式」、「プロトコル」、及び「ホスト名」などが選択できる画面となっている。同図の場合は、「送信形式」がユーザにより選択され、さらに「Ｆｉｌｅ」が選択されている。
【００６４】
また、「プロトコル」では、メール形式、Ｉ−ＦＡＸ形式、ファイル送信形式、及びストレージへの記憶形式などが設定できる。
【００６５】
さらに、ファイル送信時の宛先がＷＥＢＤＡＶやＳＭＢプロトコルで公開されたサーバーだった場合には、それらにアクセスするための「ユーザ名」、「パスワード」などのログイン情報も設定できる。
【００６６】
その他、モノクロやカラーなど色に関するもの、解像度、用紙、濃度、レイアウト、及びファイルフォーマットなど、スキャンに関する設定も可能である。
【００６７】
こうして設定された内容は、１つのジョブ設定情報として作成される。予めプリセットされた設定がある場合は、その設定を呼び出して編集することも可能である。プリセットされた設定内容は、携帯端末１０の記憶装置１０４に記憶される。また、携帯端末の設定内容を他の携帯端末の設定内容にインポートできるようにしてもよい。
【００６８】
図５（Ｃ）は、記憶先変更画面を示す図である。
【００６９】
本実施の形態では、記憶先として指定されたストレージサービスに記憶できない場合は、他のストレージサービスに変更することができるが、その変更する際に表示される画面である。
【００７０】
図５（Ｃ）では、「他の記憶先選択」に示されるように、ストレージサービスを選択できるようになっている。なお、「ストレージサービスＡ」は網掛けとなっているが、これは記憶できないストレージサービスであることを示し、例えば最初に指定され、記憶できなかったストレージサービスなどが網掛けで表示される。
【００７１】
また、ユーザは「Ｃａｎｃｅｌ」を選択することで、記憶先の変更をキャンセルできるようになっている。この記憶先変更画面において、「ストレージサービスＢ」が選択されたものとする。
【００７２】
図５（Ｄ）は、変更された記憶先の設定画面を示す図である。
【００７３】
図５（Ｄ）において、「ジョブＩＤ」、「端末種別」、「アプリ種別」、及び「宛先情報」は、図５（Ｂ）などで予め設定された情報が表示される。「記憶先ＩＤ」は、ストレージサービスＢを示す「Ｂ」が表示される。
【００７４】
また、「記憶先ログイン情報」は、記憶先として選択したストレージサービスＢへログインするためのＩＤとパスワードとを入力する欄である。
【００７５】
図６は、図１における画像形成装置２０のＵＩ部２５に表示される記憶不可画面を示す図である。
【００７６】
図６に示される記憶不可画面は、指定されたストレージサービスに記憶できなかった場合に表示される画面であり、ユーザに画像形成装置２０のＮＦＣへのタッチを促す画面である。
【００７７】
ユーザは、携帯端末１０の非接触無線通信部１２と画像形成装置２０の非接触無線通信部２２を接触させると、画像形成装置２０から携帯端末１０に「記憶不可」を示すエラー情報が送信される。なお、以下の説明では、接触をタッチと表現することがある。
【００７８】
図７は、ＮＦＣを利用して非接触無線通信により通信を確立する手順を示すシーケンス図である。
【００７９】
まず、ＮＦＣは、１３．５６ＭＨｚの電磁波を利用した近距離無線通信規格で、既存の非接触ＩＣカードとの相互接続を維持しつつ、機器間の双方向通信を可能にしたものである。
【００８０】
ＮＦＣを用いた場合、ユーザが携帯端末１０を画像形成装置２０の非接触無線通信部２２に近づけると、接続手順を開始する。
【００８１】
携帯端末１０の非接触無線通信部１２、及び画像形成装置２０の非接触無線通信部１２が共にＮＦＣリーダー／ライターである場合、コマンドを送信できるＰｏｌｌモードとコマンドを受信できるＬｉｓｔｅｎモードとを任意の間隔で交互に繰り返す。
【００８２】
そして、２つのデバイス間で一方がＰｏｌｌモード、他方がＬｉｓｔｅｎモードとなった場合に通信が確立する。図７では携帯端末１０がＬｉｓｔｅｎモード、画像形成装置２０がＰｏｌｌモードで動作したときの接続例について説明する。接続のタイミングによっては、モードが逆になることもあるが、通信が確立した後は同じであるので逆の場合の説明を省略する。
【００８３】
まず、画像形成装置２０の非接触無線通信部２２が、Ｐｏｌｌｉｎｇコマンドを携帯端末１０の非接触無線通信部１２に送信する（ステップＳ４０１）。次いで、携帯端末１０の非接触無線通信部１２が、ＴｙｐｅＡ、ＴｙｐｅＢ、Ｆｅｌｉｃａの無線インターフェースに相当する仕様であるテクノロジの応答を行う（ステップＳ４０２）。これで、ＮＦＣによる通信が確立する（ステップＳ４０３）。
【００８４】
ここまでが、ＮＦＣ接続の基本的な流れである。ここまでの実装でも良いが、以降は画像形成装置２０に標準的となっている認証機能も交えて説明を進める。
【００８５】
次いで、携帯端末１０の非接触無線通信部１２は、画像形成装置２０にログインするための認証データを送信する（ステップＳ４０４）。このとき、認証データと共に上述したジョブ設定情報も同時に送付してもよい。
【００８６】
また、認証データには、携帯端末１０の固有のＭＡＣアドレスやＮＦＣ専用の記憶領域に記憶されたＩＤなどが含まれる。
【００８７】
認証データを受信した画像形成装置２０は、認証処理を行う（ステップＳ４０５）。認証方法は、認証データを不図示の管理サーバに送信して認証する方法や、画像形成装置２０で認証する方法がある。
【００８８】
いずれの認証方法においても、ユーザを認証できなかった場合は、画像形成装置２０のＵＩ部２５に認証エラーであることが表示される。
【００８９】
図８は、携帯端末１０の非接触無線通信部１２と画像形成装置２０の非接触無線通信部２２を接触させたときに通信される情報を示す図である。
【００９０】
本実施の形態では、３種類のタッチがあり、それらをタッチＡ，Ｂ，Ｃと表現する。まずタッチＡは、図５（Ｂ）の画面で設定を終え、画像形成装置２０に処理の実行を要求する際に行われるタッチである。
【００９１】
このとき、携帯端末１０から画像形成装置２０には、ジョブＩＤ、記憶先ＩＤ、携帯端末種別、アプリ種別、処理内容を示すファンクション情報（例えばコピー、スキャン、ＦＡＸなど）、読み込み設定情報（例えば、CL/BW、解像度、Nin1（レイアウト）、フォーマットなど）、送信設定情報（例えば、メール、Ｉ-FAX、ファイル、BOXなど）、宛先情報（例えば、送信プロトコル、ＩＰアドレス、メールアドレスなど）、画像形成装置へのログイン情報（例えばＩＤ、パスワードなど）、及びデータの記憶先へのログイン情報（例えばＩＤ、パスワードなど）を含む情報７０１が送信される。
【００９２】
これらの情報のうち、ファンクション情報、読み込み設定情報、送信設定情報、宛先情報、画像形成装置へのログイン情報、及びデータの記憶先へのログイン情報がジョブ設定情報に対応し、ジョブＩＤ、及び記憶先ＩＤとともに携帯端末１０の記憶装置１０４に記憶される。
【００９３】
また、上記情報７０１は、画像形成装置２０に画像処理を実行させることで得られた画像データをストレージサービス３０に記憶させるために、画像処理に関する設定情報及びストレージサービス３０を示す情報を含む第１情報に対応する。なお、画像処理の処理内容はファンクション情報に対応している。
【００９４】
次いで、タッチＢは、図６で説明したユーザに画像形成装置２０のＮＦＣへのタッチを促す画面が表示されたときに行われるタッチである。
【００９５】
このとき、画像形成装置２０から携帯端末１０には、ジョブＩＤ、記憶不可とされたストレージサービスの記憶先ＩＤ、携帯端末種別、及びアプリ種別を含む情報７０２が送信される。
【００９６】
上記情報７０２は、ストレージサービス３０が画像データを記憶できなかった場合に、画像データを記憶できなかったことを示す第２情報に対応する。
【００９７】
次いで、タッチＣは、記憶先として指定されたストレージサービスに記憶できない場合に図５（Ｄ）の画面で設定を終え、画像形成装置２０に再び処理の実行を要求する際に行われるタッチである。
【００９８】
このとき、携帯端末１０から画像形成装置２０には、ジョブＩＤ、変更した記憶先ＩＤ、携帯端末種別、アプリ種別、宛先情報（例えば送信プロトコル、ＩＰアドレス、メールアドレスなど）、及び変更した記憶先へのログイン情報（例えばＩＤ、パスワードなど）を含む情報７０３が送信される。この情報７０３は、選択されたストレージサービスを示す情報を含む第３情報に対応する。
【００９９】
上述したタッチＢ，ＣにおけるジョブＩＤは、同じジョブにおける一連の処理となるため、タッチＡにおけるジョブＩＤと同じものとなる。
【０１００】
図９は、図２における携帯端末１０のＣＰＵ１０１により実行される携帯端末処理の手順を示すフローチャートである。
【０１０１】
図９において、画像形成装置連携アプリを実行すると（ステップＳ１０１）、図５（Ａ）で示した画面が表示される。ここでは、説明を簡単にするために、図５（Ａ）と同じく、ユーザにより「Ｓｃａｎ  ｔｏ」が選択されたものとする（ステップＳ１０２）。
【０１０２】
次いで、図５（Ａ）の画面で、記憶先のストレージサービスが選択され、さらに図５（Ｂ）の設定画面により各設定が行われる（ステップＳ１０３）。そして、設定された内容などに基づいてジョブ設定情報を作成する（ステップＳ１０４）。
【０１０３】
次いで、タッチＡによって、図８で示したジョブＩＤなどを含む情報７０１を画像形成装置２０へ送信する（ステップＳ１０５）。このステップＳ１０５は、第１情報を画像形成装置２０に送信する第１情報送信手段に対応する。
【０１０４】
そして、携帯端末１０は次にタッチする動作まで予め定められた時間を計測するためのタイマーを起動し、そのタイマーがタイムアウトするまで待機する（ステップＳ１０６）。
【０１０５】
このタイマーがタイムアウトすると（ステップＳ１０６）、画像形成装置連携アプリは携帯端末１０の記憶装置１０４に記憶しているジョブ設定情報を削除して（ステップＳ１１３）、本処理を終了する。
【０１０６】
一方、図６で示した、指定されたストレージサービスに記憶できなかった場合に表示される画面が画像形成装置２０のＵＩ部２５に表示され、タイムアウトする前に（ステップＳ１０６でＮＯ）、画像形成装置２０にタッチＢがされた場合には（ステップＳ１０７でＹＥＳ）、図８で説明した情報７０２を画像形成装置２０から受信する（ステップＳ１０８）。このステップＳ１０８は、受信手段に対応する。
【０１０７】
なお、ステップＳ１０６でタイムアウトした場合であっても、指定されたストレージサービスに記憶できなかった場合には、情報７０２を受信でき、この場合、ステップＳ１０９以下の処理が実行される。
【０１０８】
次いで、受信した情報７０２に含まれるジョブＩＤ、及び携帯端末種別が、情報７０１で送信したものに合致しているか否か判別する（ステップＳ１０９）。ステップＳ１０９の判別の結果、合致していない場合には（ステップＳ１０９でＮＯ）、上述したステップＳ１１３に進む。
【０１０９】
一方、ステップＳ１０９の判別の結果、合致している場合には（ステップＳ１０９でＹＥＳ）、図５（Ｃ）で示した記憶先変更画面を表示する（ステップＳ１１０）。このステップＳ１１０は、他のストレージサービスをユーザに選択させる選択手段に対応する。
【０１１０】
そして、記憶先変更画面において、キャンセルではなく、他の記憶先が選択されたか否か判別する（ステップＳ１１１）。
【０１１１】
ステップＳ１１１の判別の結果、キャンセルが選択された場合には（ステップＳ１１１でＮＯ）、上述したステップＳ１１３に進む。
【０１１２】
一方、ステップＳ１１１の判別の結果、他の記憶先が選択された場合には（ステップＳ１１１でＹＥＳ）、図５（Ｄ）で示した変更された記憶先の設定画面を表示する（ステップＳ１１２）。ここでの設定内容などに基づいて、ジョブ設定情報を作成する（ステップＳ１０４）。
【０１１３】
次いで、タッチＣによって、図８で示したジョブＩＤなどを含む情報７０３を画像形成装置２０へ送信することとなる（ステップＳ１０５）。ここでのステップＳ１０５は、第３情報送信手段に対応する。
【０１１４】
図１０は、図３における画像形成装置２０のＣＰＵ２１０により実行される画像形成装置処理、及び図１のストレージサービス３０により実行されるストレージサービス処理の手順を示すフローチャートである。
【０１１５】
図１０に示される各処理は、図９の携帯端末処理に対応している。まず画像形成装置処理から説明する。
【０１１６】
図１０において、携帯端末１０によりタッチ（ここではタッチＡ）されると（ステップＳ２０１でＹＥＳ）、図８で示したジョブＩＤなどを含む情報７０１を携帯端末１０から受信する（ステップＳ２０２）。このステップＳ２０２は、第１情報受信手段に対応する。
【０１１７】
次いで、情報７０１に含まれる記憶先ＩＤから、記憶先のストレージサービスを特定する（ステップＳ２０３）。
【０１１８】
次いで、スキャンするか否か判別する（ステップＳ２０４）。ステップＳ２０４の判別の結果、スキャンする場合には（ステップＳ２０４でＹＥＳ）、スキャンを実行して（ステップＳ２０５）、スキャンすることで得られた画像データをストレージサービス３０に送信する（ステップＳ２０６）。このステップＳ２０６は、第１情報に含まれる設定情報に従って画像処理を実行して得られた画像データを、ストレージサービス３０を示す情報に従ってストレージサービス３０に送信する画像データ送信手段に対応する。
【０１１９】
一方、ステップＳ２０４の判別の結果、スキャンしない場合には（ステップＳ２０４でＮＯ）、記憶装置１０４に記憶されている画像データをストレージサービス３０に送信する（ステップＳ２０６）。
【０１２０】
次いで、ストレージサービス３０から送信された処理結果から、画像データが記憶できたか否か判別する（ステップＳ２０７）。処理結果は、画像データ記憶処理で画像データが記憶できた場合には、「記憶可」となり、記憶できなかった場合には、「記憶不可」となる。
【０１２１】
ステップＳ２０７の判別の結果、画像データが記憶できた場合には（ステップＳ２０７でＹＥＳ）、ジョブ設定情報、及び画像データを削除して（ステップＳ２０８）、本処理を終了する。
【０１２２】
一方、ステップＳ２０７の判別の結果、画像データが記憶できなかった場合には（ステップＳ２０７でＮＯ）、図６で示した記憶画面を表示する（ステップＳ２０９）。そして、携帯端末１０によりタッチ（ここではタッチＢ）されたか否か判別する（ステップＳ２１０）。ステップＳ２１０の判別の結果、タッチされなかった場合には（ステップＳ２１０でＮＯ）、上記ステップＳ２０８に進む。
【０１２３】
ステップＳ２１０の判別の結果、タッチされた場合には（ステップＳ２１０でＹＥＳ）、携帯端末１０に図８で示した情報７０２を送信し（ステップＳ２１１）、ステップＳ２０１でタッチＣを待つこととなる。このステップＳ２１１は、第２情報送信手段に対応する。
【０１２４】
そして、携帯端末１０によりタッチ（ここではタッチＣ）されると（ステップＳ２０１でＹＥＳ）、図８で示したジョブＩＤなどを含む情報７０３を携帯端末１０から受信する（ステップＳ２０２）。ここでのステップＳ２０２は、第３情報受信手段に対応する。
【０１２５】
その後、他のストレージサービスに画像データを送信する（ステップＳ２０６）。ここでのステップＳ２０６は、第３情報に含まれるストレージサービスを示す情報に従って、ストレージサービスに画像処理を実行して得られた画像データを送信する画像データ再送信手段に対応する。
【０１２６】
上記ステップＳ２０９で記憶不可画面が表示されたにも関わらず、同一の携帯端末１０によってタッチされない場合は、一定時間後に一連のジョブに関連するデータを削除するようにしてもよい。
【０１２７】
また、タッチＢをしなかった携帯端末により他のジョブを実行するためにタッチされた場合には、ＵＩ部２５に前回のジョブでは記憶できなかったことを表示するようにしてもよい。
【０１２８】
さらに、ストレージサービスが画像データ記憶処理を実行している間に、他の携帯端末からのジョブを受け付けるようにしてもよい。
【０１２９】
次にストレージサービス処理について説明する。画像データを画像形成装置２０から受信すると（ステップＳ３０１でＹＥＳ）、画像データ記憶処理を実行し（ステップＳ３０２）、上述した処理結果を画像形成装置２０に送信して（ステップＳ３０３）、本処理を終了する。
【０１３０】
上記画像データ記憶処理では、まず画像データを記憶できるか否か判別して、記憶できない場合には、直ちにステップＳ３０３で「記憶不可」が送信される。
【０１３１】
このように、ストレージサービスがなんらかの理由で画像データを記憶できない場合でも、記憶先を他のストレージサービスに容易に変更することが可能となる。
【０１３２】
以上説明したように、本実施の形態によれば、ストレージサービスが画像データを記憶できなかった場合に、画像データを記憶できなかったことを示す第２情報を画像形成装置から受信し（ステップＳステップＳ１０８）、他のストレージサービスをユーザに選択させて（ステップＳ１１０）、選択されたストレージサービスを示す情報を含む第３情報を画像形成装置に送信するので（ステップＳ１０５）、従来のように画像形成装置での操作が不要となり、その結果、携帯端末から画像形成装置で画像処理した画像データをストレージサービスに記憶させる場合のユーザの操作性を向上させることができる。
【０１３３】
（他の実施の形態）
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【符号の説明】
【０１３４】
１０  携帯端末
１１，２１  近距離無線通信部
１２，２２  非接触無線通信部
１３，２５  ＵＩ部
２０  画像形成装置
３０  ストレージサービス
１００，２００  コントローラ
１０１，２０１  ＣＰＵ
１０２，２０２  ＲＡＭ
１０３，２０３  ＲＯＭ
１０４，２０４  記憶装置
１０６  表示部
１１０，２０９  近距離無線コントローラ
１１４，２１１  非接触無線コントローラ
１０００  画像形成システム
【図１】
2015100064.tif 000003
【図２】
2015100064.tif 000004
【図３】
2015100064.tif 000005
【図４】
2015100064.tif 000006
【図５】
2015100064.tif 000007
【図６】
2015100064.tif 000008
【図７】
2015100064.tif 000009
【図８】
2015100064.tif 000010
【図９】
2015100064.tif 000011
【図１０】
2015100064.tif 000012